(57)【要約】【課題】被抽出物からの湯水による成分の抽出を、より効率的になし得る容器の提供。【解決手段】湯水を蓄える容器本体１と、湯水によって成分を抽出される被抽出物Ｍの保持体２とを備えている。保持体２は、容器本体１の内側部１ｂとの間に間隔ｓを開けて容器本体１の内底部１ａから上方に突き出すように備えられると共に、内側に被抽出物Ｍを納めることが可能で、かつ、内外の湯水の通過は妨げない構造となっている。【選択図】図１
2010247871.tif 000002
【特許請求の範囲】
【請求項１】
湯水を蓄える容器本体と、湯水によって成分を抽出される被抽出物の保持体とを備えており、
保持体は、容器本体の内側部との間に間隔を開けて容器本体の内底部から上方に突き出すように備えられると共に、内側に被抽出物を納めることが可能で、かつ、内外の湯水の通過は妨げない構造となっていることを特徴とする容器。
【請求項２】
保持体を、開口縁に外鍔部を備えると共に、この外鍔部を容器本体の内底部に取り外し可能に固定させた籠状体としてなることを特徴とする請求項１に記載の容器。
【請求項３】
保持体を、開口縁に外鍔部を備える籠状体としてなると共に、
容器本体は、外容器とこの外容器内に重ね入れられる内容器とから構成されており、
この内容器の底部に形成された穴に籠状体の外鍔部よりも上方の箇所を入れ込ませて外容器内に内容器を重ね入れてなることを特徴とする請求項１に記載の容器。
【請求項４】
請求項１〜請求項３のいずれか１項に記載の容器と、湯水を通過させるシート状体からなり内部に被抽出物を封入させた袋体とからなる容器入り被抽出物。
【発明の詳細な説明】
【技術分野】
【０００１】
この発明は、注がれた湯水によって成分を抽出される被抽出物のこの抽出を、効率良くなし得る構造を備えた容器、及びこのように構成される容器に納められて提供される被抽出物に関する。
【背景技術】
【０００２】
容器の底部側に容器の中心軸に直交する向きにフィルターを張り込み、このフィルターの下方に茶葉を収納するようにした簡易お茶抽出器がある。（特許文献１参照）
【０００３】
また、底部に細孔を備えた小カップ容器を飲料原料を入れた大カップ容器に重ねてなる飲料容器がある。（特許文献２参照）
【０００４】
これらはいずれも、湯水を注ぎ入れることで、茶葉などから成分を抽出して飲料を生成することができる。しかし、前記フィルターや小カップ容器の底部は容器内を上下に区分するに留まるものであるため、茶葉などが納められた容器の底部側の空間に対する湯水の流出入は限定的である。このため、これらのものは茶葉などの成分の抽出に比較的時間を要し、湯水を注いだ後に容器を振るなどしてもそれが著しく早まるようなこともなかった。
【先行技術文献】
【特許文献】
【０００５】
【特許文献１】特開平８−２４３０２８号公報
【特許文献２】特開２００６−２４８６１０号公報
【発明の概要】
【発明が解決しようとする課題】
【０００６】
この発明が解決しようとする主たる問題点は、この種の容器において、被抽出物からの湯水による成分の抽出を、より効率的になし得るようにする点にある。
【課題を解決するための手段】
【０００７】
前記課題を達成するために、この発明にあっては、第一の観点から、容器を、湯水を蓄える容器本体と、湯水によって成分を抽出される被抽出物の保持体とを備えており、
保持体は、容器本体の内側部との間に間隔を開けて容器本体の内底部から上方に突き出すように備えられると共に、内側に被抽出物を納めることが可能で、かつ、内外の湯水の通過は妨げない構造となっているものとした。
【０００８】
かかる容器によれば、各種の被抽出物の成分を効率よく抽出して容器本体内に前記飲料などを生成させることができる。特に、成分の抽出に比較的時間のかかる漢方薬や生薬から効率良く成分を抽出して、健康増進機能を持った飲料やスープ、あるいは飲み薬などを、短時間で生成させることができる。すなわち、保持体の内側に被抽出物を納めた状態から容器本体に湯水を注ぐと、保持体は容器本体の内底部にあることから、納められた被抽出物は浮き上がらずに湯水に十分に漬けられる。かつ、保持体と容器本体の内側部との間には間隔が形成されていることから、注がれた湯水は保持体の外面の各箇所から保持体内外を通過する。これにより、注がれた湯水によって被抽出物の成分を効率よく抽出することができる。特に、容器本体の底部側を振ることで、容器本体の内側部側から保持体内外を湯水が激しく移動するようにして注がれた湯水によって被抽出物の成分を短時間で抽出することができる。
【０００９】
保持体を、開口縁に外鍔部を備えると共に、この外鍔部を容器本体の内底部に取り外し可能に固定させた籠状体としておけば、籠状体内に被抽出物を納めた状態で外鍔部を容器本体の内底部に固定させることで、容器本体内に効率よく成分を抽出可能な態様で被抽出物を位置づけさせることができる。また、外鍔部の固定を解くことで被抽出物の取り出しや取り替えをなすことができる。
【００１０】
前記容器本体を、外容器とこの外容器内に重ね入れられる内容器とから構成させ、この内容器の底部に形成された穴に籠状体の外鍔部よりも上方の箇所を入れ込ませて外容器内に内容器を重ね入れてなるものとすれば、この重ね入れにより保持体を容器本体の内底部に容易且つ適切に取り外し可能に固定することができる。
【００１１】
また、前記課題を達成するために、この発明にあっては、第二の観点から、容器入り被抽出物を、前記容器と、湯水を通過させるシート状体からなり内部に被抽出物を封入させた袋体とからなるものとした。このようにした場合、被抽出物を封入した袋体を別途用意しておきそれを容器本体内に同梱することで、様々な種類の容器入り被抽出物の提供が可能となる。
【発明の効果】
【００１２】
この発明にかかる容器によれば、被抽出物からの湯水による成分の抽出を効率的になすことができ、成分の抽出に比較的時間がかかる漢方薬や生薬に対しても利用することができる。
【図面の簡単な説明】
【００１３】
【図１】図１は第一例にかかる容器の分離斜視図（ａ図）および使用状態の要部破断斜視図（ｂ図）である。
【図２】図２は第二例にかかる容器の分離斜視図（ａ図）および使用状態の要部破断斜視図（ｂ図）である。
【図３】図３は第三例にかかる容器の分離斜視図（ａ図）および使用状態の要部破断斜視図（ｂ図）である。
【図４】図４は第四例にかかる容器入り被抽出物の分離斜視図（ａ図）および内容器と外容器の分離斜視図（ｂ図）である。
【図５】図５は第五例にかかる容器入り被抽出物の分離斜視図（ａ図）および内容器と外容器の分離斜視図（ｂ図）である。
【図６】図６は第五例を構成する保持体の斜視図である。
【図７】図７は第五例にかかる容器入り被抽出物に、さらに調味料や乾燥された具材の入った袋体を同梱させた例の、使用状態説明図である。
【発明を実施するための形態】
【００１４】
以下、図１〜図７に基づいて、この発明の典型的な実施の形態について説明する。ここで図１はこの発明を適用して構成された容器Ｖの第一例を、図２は第二例を、図３は第三例を、図４は第四例を、図５〜図７は第五例を、それぞれ示している。なお、各図においては、容器本体１を便宜上透明なものとして表している。
【００１５】
先ず、第一例〜第五例に共通する発明概念について、説明する。
【００１６】
この実施の形態にかかる容器Ｖは、注がれた湯水を蓄えるものであって、湯水によって成分を抽出される被抽出物Ｍのこの抽出を、効率良くなし得る構造を備えたものである。また、この実施の形態にかかる容器入り被抽出物Ｍは、このように構成される容器Ｖに納められて提供されるものであって、かかる容器Ｖを構成する保持体２に保持させた状態でこの容器Ｖに湯水を注ぐことで、この容器Ｖ内に飲むことのできる食品ないしは薬を生成させるものである。
【００１７】
かかる被抽出物Ｍは、湯水によって、典型的には熱湯やぬるま湯によって、成分を抽出されてこの湯水を飲料や、スープや、飲み薬とするものであって、典型的には、漢方薬、生薬、茶の葉、コーヒーなどが予定される。
【００１８】
かかる容器Ｖは、湯水を蓄える容器本体１と、湯水によって成分を抽出される被抽出物Ｍの保持体２とを備えてなる。かかる保持体２は、容器本体１の内側部１ｂとの間に間隔ｓを開けて容器本体１の内底部１ａから上方に突き出すように備えられると共に、内側に被抽出物Ｍを納めることが可能で、かつ、内外の湯水の通過は妨げない構造となっている。これにより、かかる容器Ｖによれば、各種の被抽出物Ｍの成分を効率よく抽出して容器本体１内に前記飲料などを生成させることができる。特に、成分の抽出に比較的時間のかかる漢方薬や生薬から効率良く成分を抽出して、健康増進機能を持った飲料やスープ、あるいは飲み薬などを、短時間で生成させることができる。すなわち、保持体２の内側に被抽出物Ｍを納めた状態から容器本体１に湯水を注ぐと、保持体２は容器本体１の内底部１ａにあることから、納められた被抽出物Ｍは浮き上がらずに湯水に十分に漬けられる。かつ、保持体２と容器本体１の内側部１ｂとの間には間隔ｓが形成されていることから、注がれた湯水は保持体２の外面の各箇所から保持体２内外を通過する。これにより、注がれた湯水によって被抽出物Ｍの成分を効率よく抽出することができる。特に、容器本体１の上部１ｅ側を把持してその底部１ｃ側を振るようにすることで、容器本体１の内側部１ｂ側から保持体２内外を湯水が激しく移動するようにして注がれた湯水によって被抽出物Ｍの成分を短時間で抽出することができる。
【００１９】
容器本体１は、注がれた湯水を蓄えるものであれば、どのような形状のものであっても構わない。すなわち、容器本体１は、底部１ｃと側部１ｄとを備え、開放された上部１ｅから内部に湯水を受け入れ蓄えるものであれば足りる。図示の例では、容器本体１は、上部１ｅに向かうに連れて次第に内外径を共に大きくする有底の筒状をなすように構成されている。
【００２０】
保持体２も、容器本体１の内底部１ａに被抽出物Ｍを保持し、かつ、前記のように保持体２の外面の各箇所から保持体２内外の湯水の通過を生じさせるものであれば良く、図示の形状のものに限定されるものではない。例えば、保持体２は、容器本体１の内底部１ａから上方に突き出すドーム状をなすように構成することもできる。図示の例では、保持体２は、閉塞された上面２ａと、開放された底面と、上方に向かうに連れて次第に径を小さくする筒状の側面２ｂとを備えている。そして、保持体２は、この開放された底面を容器本体１の内底部１ａに取り外し可能に固定させている。保持体２の外径はその上下方向のいずれの位置でも容器本体１の内径よりも小さく、かつ、保持体２の上下寸法は容器本体１の上下寸法よりも小さくなっている。これにより、保持体２の内側に納められた被抽出物Ｍは容器本体１を湯水で満たすことでこの湯水に完全に漬かり、また、保持体２の側面２ｂにおいても保持体２内外を湯水が通過するようになっている。
【００２１】
より具体的には、この実施の形態にあっては、かかる保持体２は、開口縁２ｃ（開放された前記底面を巡る縁）に外鍔部２ｄを備えると共に、この外鍔部２ｄを容器本体１の内底部１ａに取り外し可能に固定させた籠状体として構成されている。すなわち、かかる保持体２の上面２ａと側面２ｂは、網状をなすように構成されている。もっとも、かかる保持体２はこの上面２ａと側面２ｂとにおいて湯水の通過を生じるようになっていれば良い。例えば、この上面２ａと側面２ｂとを不織布などの濾材により構成する。また、例えば、この上面２ａと側面２ｂに複数の小さな穴を設けたり、複数のスリットを設けたりして構成しても構わない。これによりこの実施の形態にあっては、保持体２内に被抽出物Ｍを納めた状態で外鍔部２ｄを容器本体１の内底部１ａに固定させることで、容器本体１内に効率よく成分を抽出可能な態様で被抽出物Ｍを位置づけさせることができる。また、外鍔部２ｄの固定を解くことで被抽出物Ｍの取り出しや取り替えをなすことができる。
【００２２】
以上に説明した容器本体１及び保持体２は、軽量化の観点からは合成樹脂や紙により構成することが好ましく、耐久性の観点からはセラミックや金属から構成することが好ましいが、必要に応じて適宜の材料から構成して構わない。一方、被抽出物Ｍは、容器本体１から取り外した保持体２内に直接納めるようにすることもできるが、図示の例では、袋体３内に封入して用意されている。すなわち、図示の例では、前記容器Ｖと、湯水を通過させる不織布などのシート状体からなり内部に被抽出物Ｍを封入させた袋体３とから、容器入り被抽出物Ｍを構成させている。このようにした場合、被抽出物Ｍを封入した袋体３を別途用意しておきそれを容器本体１内に同梱することで、様々な種類の容器入り被抽出物Ｍの提供が可能となる。例えば、この袋体３に漢方薬を封入させていれば、かかる袋体３と前記容器Ｖとから、容器入り漢方薬が構成されることとなる。また、容器本体１に、湯水により飲食可能な性状となる別の食品などを同梱させても構わない。例えば、前記袋体３に加えて、調味料や乾燥された具材Ｍ’の入った袋体４を前記容器Ｖに同梱させるようにすれば、かかる容器入り被抽出物Ｍを利用して具材入りのスープを作ることができる。（図７／図中符号Ｋは「やかん」を示している。）また、一つの容器本体１に封入した被抽出物Ｍを異ならせる二以上の袋体３を同梱させるようにしても構わない。このようにした場合、袋体３を交換しての複数回の飲料などの生成を行うことができる。また、複数の袋体３を一緒に保持体２に保持させて容器本体１に湯水を注げば、二種の被抽出物Ｍの成分を同時に抽出してなる飲料を生成することもできる。
【００２３】
次いで、前記各例の個別的な特徴点について、説明する。
【００２４】
（図１に示される第一例）
図１に示される第一例にあっては、容器本体１の底部１ｃ近傍の内側部１ｂに、周回状をなす溝部１ｆを形成させている。そして、この溝部１ｆに保持体２の外鍔部２ｄをはめ込むことができるようにしている。この例では、外鍔部２ｄは保持体２の中心軸を巡る周方向において間隔ｓを開けて設けられた割り欠き部２ｅにより分割されており、保持体２の開口縁２ｃ側を下にして容器本体１内に保持体２を押し込むと、主としてこの外鍔部２ｄ側が弾性変形してこの外鍔部２ｄが前記溝部１ｆに入り込む位置までのこの押し込みが許容されると共に、この位置での弾性復帰によりこの外鍔部２ｄが溝部１ｆに入り込んで保持体２が容器本体１の内底部１ａに取り外し可能に固定されるようになっている。
【００２５】
（図２に示される第二例）
図２に示される第二例にあっては、容器本体１の内底部１ａに、一対の掛合部１ｇ、１ｇを形成させている。掛合部１ｇはこの内底部１ａの中央を挟んだ両側にそれぞれ備えられている。各掛合部１ｇはそれぞれ、この内底部１ａとの間に保持体２の外鍔部２ｄを隙間少なく納める間隔を開けて配される押さえ部１ｈと、この押さえ部１ｈにおける容器本体１の内側部１ｂ側に位置される端部を内底部１ａに連接させる連接部１ｉとを備えている。この例では、外鍔部２ｄは保持体２の中心軸を挟んだ両側に設けられた割り欠き部２ｅにより二つに分割されており、この割り欠き部２ｅを掛合部１ｇの押さえ部１ｈに合わせて保持体２の開口縁２ｃ側を下にして容器本体１内に保持体２を押し込むと、押さえ部１ｈの下方に外鍔部２ｄを入り込ませることができるようになっている。そしてこの後、保持体２を捻回させて押さえ部１ｈの下方に外鍔部２ｄにおける割り欠き部２ｅ以外の箇所が位置されるようにすることで、保持体２を容器本体１の内底部１ａに取り外し可能に固定できるようになっている。
【００２６】
（図３に示される第三例）
図３に示される第三例にあっては、容器本体１の内側部１ｂに、一対の掛合部１ｊ、１ｊを形成させている。掛合部１ｊは容器本体１の中央を挟んだ両側にそれぞれ備えられている。各掛合部１ｊはそれぞれ、容器本体１の内底部１ａとの間に保持部の外鍔部２ｄを隙間少なく納める間隔を開けて内側部１ｂから突き出すリブ状部として構成されている。この例では、外鍔部２ｄは保持体２の中心軸を巡る周方向において間隔ｓを開けて設けられた割り欠き部２ｅにより分割されており、保持体２の開口縁２ｃ側を下にして容器本体１内に保持体２を押し込むと、主としてこの外鍔部２ｄ側が弾性変形してこの外鍔部２ｄが前記掛合部１ｊの下方に入り込む位置までのこの押し込みが許容されると共に、この位置での弾性復帰によりこの外鍔部２ｄが掛合部１ｊに引っかかって保持体２が容器本体１の内底部１ａに取り外し可能に固定されるようになっている。
【００２７】
（図４に示される第四例）
図４に示される第四例にあっては、容器本体１を、外容器１ｋとこの外容器１ｋ内に重ね入れられる内容器１ｍとから構成させている。内容器１ｍの外側の形状は、外容器１ｋの内側の形状に倣ったものとなっており、また、内容器１ｍは、その底部を下にして外容器１ｋ内に隙間なく重ね入れられる大きさを持つように構成されている。また、内容器１ｍの底部には、保持体２を構成する前記籠状体の外鍔部２ｄよりも上方の箇所を下方から入り込ませる大きさの穴１ｎが設けられている。この穴１ｎは保持体２の外鍔部２ｄは通り抜けさせない大きさに構成されている。これによりこの例では、内容器１ｍの底部に形成された穴１ｎに籠状体の外鍔部２ｄよりも上方の箇所を入れ込ませて外容器１ｋ内に内容器１ｍを重ね入れることで、保持体２を容器本体１の内底部１ａに取り外し可能に固定できるようになっている。被抽出物Ｍを封入した袋体３はこの重ね入れに先立って外容器１ｋ内に入れておく。
【００２８】
（図５〜図７に示される第五例）
図５〜図７に示される第五例にあっては、前記第四例を構成する保持体２にさらに、その開口縁２ｃから保持体２の内方に向けて横向きに突き出す弾性片２ｆを備えさせている。かかる弾性片２ｆは保持体２の中心軸を巡る周方向において隣り合う弾性片２ｆとの間に間隔を開けて複数備えられていると共に、突きだし端に向かうに連れて次第に幅狭となるように構成されている。各弾性片２ｆの突きだし端同士は接し合わないようになっている。これにより、この第五例にあっては、弾性片２ｆを変形させながら保持体２内に下方から前記袋体３を入れ込ませることができると共に、このように入れ込まれた袋体３を保持体２内から落下しないように弾性片２ｆで押さえることができるようになっている。この結果、この第五例にあっては、保持体２内に袋体３を入れて外容器１ｋに内容器１ｍを重ねた状態から、湯水を容器本体１内に注いで被抽出物Ｍの成分の抽出が済んだときに外容器１ｋを抜き出すことで、この抽出により生成された飲料などのみが外容器１ｋ内にあるようにすることができる。すなわち、この第五例にあっては、生成された飲料などが濃くなり過ぎない段階で前記抽出を容易に停止させることができる。
【符号の説明】
【００２９】
１  容器本体
１ａ  内底部
１ｂ  内側部
２  保持体
ｓ  間隔
Ｍ  被抽出物
【図１】
2010247871.tif 000003
【図２】
2010247871.tif 000004
【図３】
2010247871.tif 000005
【図４】
2010247871.tif 000006
【図５】
2010247871.tif 000007
【図６】
2010247871.tif 000008
【図７】
2010247871.tif 000009